(57)【特許請求の範囲】
【請求項１】
前面に開口部が形成されたショーケース本体と、前記開口部に取り付けられた開閉可能な扉とを有するクローズドタイプの冷蔵ショーケースにおいて、
前記ショーケース本体内に設けられ、このショーケース本体内を下部陳列室と上部陳列室とに区画する区画体と、
前記ショーケース本体内に設けられ、一端に前記下部陳列室の底部に開口する下部開口を有して他端に前記上部陳列室の上部に開口する上部開口を有するダクトと、
前記ダクト内に前記区画体より下側に位置して設置され、前記ダクト内の空気を冷却する冷却器と、
前記ダクト内に前記区画体より下側に位置して設置され、前記下部陳列室内の空気を前記下部開口から前記ダクト内に吸い込む下部送風ファンと、
前記ダクト内に前記区画体より上側に位置して設置され、前記ダクト内の空気を前記上部開口から前記上部陳列室に吹き出させる上部送風ファンと、
前記ダクトの途中に設けられ、前記ダクトと前記下部陳列室とを連通する下部連通口と、
前記ダクトの途中に設けられ、前記ダクトと前記上部陳列室とを連通する上部連通口と、
を有し、
前記区画体は、
前記下部陳列室と前記上部陳列室とを連通する上下連通口と、
前記上下連通口を開放する開放位置と前記上下連通口を閉止する閉止位置とに移動可能な第１仕切体と、
前記下部連通口と前記上部連通口とを閉止するとともに前記ダクトを開放する第１位置と、前記下部連通口と前記上部連通口とを開放するとともにこれらの下部連通口と上部連通口との間で前記ダクト内を下側部分と上側部分とに閉止する第２位置とに移動可能な第２仕切体とを有し、
前記第２仕切体にこの第２仕切体が第２位置に位置する場合に前記ダクト内を下側部分と上側部分とに閉止する水平部が設けられ、
前記水平部にこの水平部を上下方向に貫通するパンチング穴が形成されていることを特徴とする冷蔵ショーケース。
【発明の詳細な説明】
【技術分野】
【０００１】
本発明は、前面に開口部が形成されたショーケース本体と、この開口部に取り付けられた開閉可能な扉とを有するクローズドタイプの冷蔵ショーケースに関する。
【背景技術】
【０００２】
従来、商品を販売するスーパーマーケットやその他の店舗では、ショーケース本体の前面に形成された開口部を常時開放するオープンタイプのショーケースや、ショーケース本体の前面に形成された開口部に開閉可能な扉を取り付けたクローズドタイプのショーケースが使用されている。
【０００３】
店舗内に設置されるショーケースとしては、オープンタイプのショーケースが広く使用されている。一方、外気が吹き込み易い場所、例えば街頭や駅ナカで使用されるショーケースとしては、ショーケース本体の内部温度を設定温度に維持し易くするためクローズドタイプのショーケースが使用されている（例えば、下記特許文献１、２参照）。
【０００４】
特許文献１に記載されたショーケースは、ショーケース本体内に設けられて商品が陳列される陳列室内は、全体が同じ温度に制御される。
【０００５】
特許文献２に記載されたショーケースは、ショーケース本体内の商品が陳列される陳列室が二つの領域に区画され、一方が冷蔵する商品を陳列する領域とされ、他方が加温する商品を陳列する領域とされている。冷蔵する商品を陳列する領域には冷却器で冷却した空気が送風され、加温する商品を陳列する領域はヒータで加温されている。
【先行技術文献】
【特許文献】
【０００６】
【特許文献１】特開２０１１−１５２１８６号公報
【特許文献２】特開平５−１４１８５７号公報
【発明の概要】
【発明が解決しようとする課題】
【０００７】
しかしながら、従来のクローズドタイプの冷蔵ショーケースにおいては、ショーケース本体内を上下二つの陳列室に区画し、各陳列室内を異なる温度（例えば、５℃と２０°）で冷蔵し、または、必要に応じ二つの陳列室内を同じ温度（例えば、５℃または２０℃）で冷蔵制御するようにした冷蔵ショーケースは知られていない。
【０００８】
本発明は、このような課題を解決するためになされたものであり、その目的は、ショーケース本体内に上下２つに区画されて商品が陳列される上部陳列室と下部陳列室とを有し、各陳列室内を同じ温度で冷蔵したり、または、異なる温度で冷蔵したりすることが可能な冷蔵ショーケースを提供することである。
【課題を解決するための手段】
【０００９】
本発明に係る冷蔵ショーケースは、前面に開口部が形成されたショーケース本体と、前記開口部に取り付けられた開閉可能な扉とを有するクローズドタイプの冷蔵ショーケースにおいて、前記ショーケース本体内に設けられ、このショーケース本体内を下部陳列室と上部陳列室とに区画する区画体と、前記ショーケース本体内に設けられ、一端に前記下部陳列室の底部に開口する下部開口を有して他端に前記上部陳列室の上部に開口する上部開口を有するダクトと、前記ダクト内に前記区画体より下側に位置して設置され、前記ダクト内の空気を冷却する冷却器と、前記ダクト内に前記区画体より下側に位置して設置され、前記下部陳列室内の空気を前記下部開口から前記ダクト内に吸い込む下部送風ファンと、前記ダクト内に前記区画体より上側に位置して設置され、前記ダクト内の空気を前記上部開口から前記上部陳列室に吹き出させる上部送風ファンと、前記ダクトの途中に設けられ、前記ダクトと前記下部陳列室とを連通する下部連通口と、前記ダクトの途中に設けられ、前記ダクトと前記上部陳列室とを連通する上部連通口と、を有し、前記区画体は、前記下部陳列室と前記上部陳列室とを連通する上下連通口と、前記上下連通口を開放する開放位置と前記上下連通口を閉止する閉止位置とに移動可能な第１仕切体と、前記下部連通口と前記上部連通口とを閉止するとともに前記ダクトを開放する第１位置と、前記下部連通口と前記上部連通口とを開放するとともにこれらの下部連通口と上部連通口との間で前記ダクト内を下側部分と上側部分とに閉止する第２位置とに移動可能な第２仕切体とを有し、前記第２仕切体にこの第２仕切体が第２位置に位置する場合に前記ダクト内を下側部分と上側部分とに閉止する水平部が設けられ、前記水平部にこの水平部を上下方向に貫通するパンチング穴が形成されていることを特徴とする。
【発明の効果】
【００１０】
本発明に係る冷蔵ショーケースによれば、上下連通口を開放する開放位置に第１仕切体を移動させ、下部連通口と上部連通口とを閉止するとともにダクトを開放する第１位置に第２仕切体を移動させ、下部送風ファンを駆動させる。これにより、下部陳列室内の空気が下部開口からダクト内に吸い込まれ、ダクト内に吸い込まれた空気は冷却器で冷却され、冷却された空気が上部開口から上部陳列室内に吹き出し、上部陳列室内に吹き出した空気は上下連通口を通って下部陳列室内に流入し、再び、下部開口からダクト内に吸い込まれる。このようにして、冷却器で冷却された空気がダクト内と上部陳列室内と下部陳列室内との間で循環することにより、上部陳列室内と下部陳列室内とを同じ温度で冷蔵制御することができる。一方、上下連通口を閉止する閉止位置に第１仕切体を移動させ、下部連通口と上部連通口とを開放するとともにこれらの下部連通口と上部連通口との間でダクト内を下側部分と上側部分とに閉止する第２位置に第２仕切体を移動させ、下部送風ファンと上部送風ファンとを駆動させる。これにより、下部送風ファンの駆動により、下部陳列室内の空気が下部開口からダクト内に吸い込まれ、ダクト内に吸い込まれた空気は冷却器で冷却されるとともにダクト内の下側部分を流れ、下部連通口から下部陳列室内に流入し、再び、下部開口からダクト内に吸い込まれる。このようにして、冷却器で冷却された空気が下部陳列室内とダクト内の下側部分との間で循環することにより下部陳列室内を冷蔵制御することができる。また、上部送風ファンの駆動により上部陳列室内の空気が上部連通口からダクト内に吸い込まれ、この空気がダクトの上部開口から上部陳列室内に吹き出し、上部陳列室内に吹き出した空気は再び上部連通口からダクト内に吸い込まれる。このようにして、上部陳列室内の空気が上部陳列室内とダクト内の上側部分との間で循環することにより、上部陳列室内を冷蔵制御することができる。この場合、上部陳列室内の空気は下部陳列室内からの熱伝導により冷却されるが、冷却器で冷却された空気は上部陳列室内には供給されないため、上部陳列室内の冷蔵温度は下部冷却室内の冷蔵温度より高くなり、下部陳列室内と上部陳列室内とを異なる温度で冷蔵制御することができる。さらに、第２仕切体にパンチング穴が形成されていることにより、第２仕切体を第２位置に移動させてダクトを仕切り、下部陳列室内と上部陳列室内とを異なる温度で冷蔵制御する場合、冷却器で冷却された空気の一部をパンチング穴を通して上部陳列室内に供給することができ、扉を開くことにより上部陳列室内の温度が上昇した場合などにおいて、上部陳列室内の冷蔵温度を目的とする温度に速やかに戻すことができるとともに、上部陳列室内の温度を一定に保ち易くすることができる。
【図面の簡単な説明】
【００１１】
【図１】本発明の一実施形態の冷蔵ショーケースを示す断面側面図である。
【図２】区画体を示す分解斜視図である。
【図３】下部陳列室内と上部陳列室内とを同じ温度で冷蔵制御する位置に第１仕切体と第２仕切体とを移動させた状態を示す断面側面図である。
【図４】下部陳列室内と上部陳列室内とを異なる温度で冷蔵制御する位置に第１仕切体と第２仕切体とを移動させた状態を示す断面側面図である。
【図５】下部陳列室内と上部陳列室内との冷蔵制御を行う部分を示すブロック図である。
【図６】第２仕切体のパンチング穴を示す斜視図である。
【発明を実施するための形態】
【００１２】
本発明の一実施形態の冷蔵ショーケースについて、図面に基づいて説明する。まず、本発明の特徴であるパンチング穴を設ける前のショーケースの構成について、図１ないし図５に基づいて説明する。図１に示すように冷蔵ショーケース１は、断熱壁により形成されたショーケース本体２と、ショーケース本体２の下側に設置された機械室３とを有している。断熱壁は、発泡ウレタン等の断熱材を金属板で挟むことにより形成されている。
【００１３】
ショーケース本体２の前面には開口部４が形成され、この開口部４にはスライド式のガラス製の扉５が開閉可能に取り付けられている。扉５は上下二段に設けられ、上段の扉５は後述する上部陳列室内の商品を取り出す場合に開閉され、下段の扉５は後述する下部陳列室内の商品を取り出す場合に開閉される。
【００１４】
ショーケース本体２の内部には、このショーケース本体２内を下部陳列室６と上部陳列室７との二つの領域に区画する区画体８が設けられている。下部陳列室６内と上部陳列室７内とには、商品が陳列される陳列棚９と敷板１０とがそれぞれ設けられている。下部陳列室６内の上部には下部陳列室６内の温度を測定する温度センサ１１が設けられ、上部陳列室７内の上部には上部陳列室７内の温度を測定する温度センサ１２が設けられている。
【００１５】
また、ショーケース本体２の内部には、ショーケース本体２の内周面に対向させて背面板１３が設けられ、この背面板１３とショーケース本体２の内周面との間にダクト１４が形成されている。ダクト１４の一端には下部陳列室６の底部に開口する下部開口１５が形成され、ダクト１４の他端には上部陳列室７の上部に開口する上部開口１６が形成されている。
【００１６】
ダクト１４内には、区画体８より下側に位置し、ダクト１４内の空気を冷却する冷却器１７が設置されている。冷却器１７には、この冷却器１７とともに冷凍装置を構成する圧縮機（図示せず）や凝縮器（図示せず）が接続されており、これらの圧縮機や凝縮器等は機械室３内に設置されている。
【００１７】
また、ダクト１４内には、下部送風ファン１８と上部送風ファン１９とが設置されている。下部送風ファン１８は、区画体８より下側に位置して設置され、駆動されることにより下部陳列室６内の空気を下部開口１５からダクト１４内に吸い込む。上部送風ファン１９は、区画体８より上側に位置して設置され、駆動されることによりダクト１４内の空気を上部開口１６から上部陳列室７内に吹き出させる。
【００１８】
さらに、ダクト１４内の上部開口１６の近傍には、ヒータ２０が設けられている。このヒータ２０は通電されることにより発熱し、上部開口１６から上部陳列室７内に吹き出す空気が加温される。
【００１９】
ダクト１４における区画体８の近傍位置には、ダクト１４と下部陳列室６とを連通する下部連通口２１と、ダクト１４と上部陳列室７とを連通する上部連通口２２とが形成されている。これらの下部連通口２１と上部連通口２２とは、区画体８を構成する後述する第２仕切体が操作されることにより開閉される。
【００２０】
上述した区画体８の構造を、図１と図２とに基づいて説明する。区画体８は、連通口形成体２３と、第１仕切体２４と、第２仕切体２５と、中間吹き出しダクト形成板２６、２７とを備えている。
【００２１】
連通口形成体２３は、開口部４側に位置してショーケース本体２に固定され、ショーケース本体２の横幅方向に延出する長尺状に形成されている。連通口形成体２３には、下部陳列室６と上部陳列室７とを連通する複数の上下連通口２８がショーケース本体２の横幅方向に沿って形成されている。連通口形成体２３の下面には、発泡ウレタン等の断熱材２９が貼り付けられている。
【００２２】
第１仕切体２４は、連通口形成体２３の下側に配置され、ショーケース本体２の横幅方向に延出する長尺状に形成され、ショーケース本体２の前後方向に移動可能に設けられている。第１仕切体２４には、ショーケース本体２の横幅方向に沿って複数の開口３０が形成されている。第１仕切体２４を前方に移動させ、開口３０が上下連通口２８と上下方向で対向する開放位置に第１仕切体２４を位置させることにより、上下連通口２８が開放される。また、第１仕切体２４を後方に移動させ、第１仕切体２４における開口３０が形成されていない部分が上下連通口２８と上下方向で対向する閉止位置に第１仕切体２４を位置させることにより、上下連通口２８が閉止される。第２仕切体２４の下面には、断熱材３１が貼り付けられている。
【００２３】
第２仕切体２５は、水平部２５ａと垂直部２５ｂとを有する断面形状がＴ字形であってショーケース本体２の横幅方向に延出する長尺状に形成され、ショーケース本体２の前後方向に移動可能に設けられている。この第２仕切体２５を前方に移動させて第１位置に位置させることにより、下部連通口２１と上部連通口２２とが垂直部２５ｂにより閉止されるとともに、水平部２５ａがダクト１４外に移動することによりダクト１４が開放される。また、第２仕切体を後方に移動させて第２位置に位置させることにより、下部連通口２１と上部連通口２２とが開放されるとともに、水平部２５ａがダクト１４内に移動することによりダクト１４が閉止される。水平部２５ａの下面には、断熱材３２が貼り付けられている。
【００２４】
第１仕切体２４と第２仕切体２５とは、一対の連結部材３３により連結されて一体に移動可能に設けられている。そして、第１仕切体２４が開放位置に位置する場合に第２仕切体２５が第１位置に位置し、第１仕切体２４が閉止位置に位置する場合に第２仕切体２５が第２位置に位置する。連結部材３３には、第１・第２仕切体２４、２５を前後方向に移動させる場合に把持する操作レバー３４が取り付けられている。第１・第２仕切体２４、２５を前後方向に移動させた場合、第１・第２仕切体２４、２５は前後方向のそれぞれの停止位置で図示しない磁石により吸着され、停止位置で保持される。
【００２５】
中間吹き出しダクト形成板２６、２７は、上下方向で対向して設けられ、図示しないブラケットを介してショーケース本体２に固定されている。中間吹き出しダクト形成板２６、２７の間には中間吹き出しダクト３５が形成され、この中間吹き出しダクト３５は一端が下部連通口２１に連通し、他端が下部陳列室６内の上部側におけるショーケース本体２の前面側に開口している。上側の中間吹き出しダクト形成板２６の下面には、断熱材３６が貼り付けられている。中間吹き出しダクト形成板２６、２７には、操作レバー３４が貫通するスリット３７、３８が形成されている。
【００２６】
連通口形成体２３と中間吹き出しダクト形成板２６の先端側とには、防露ヒータ３９が設けられ、これらの防露ヒータ３９は通電されることにより発熱する。ショーケース本体２の内周面における第２仕切体２５の垂直部２５ｂに対向する部分には、スイッチである近接スイッチ４０が設けられている。この近接スイッチ４０は、第２仕切体２５が第２位置に移動して近接スイッチ４０に近接した場合にオンとなり、第２仕切体２５が第１位置に移動して近接スイッチ４０から離反した場合にオフとなる。近接スイッチ４０がオンとなることにより防露ヒータ３９に対して通電され、近接スイッチ４０がオフになることにより防露ヒータ３９に対する通電が停止される。この防露ヒータ３９は、下部陳列室６内を５℃に冷蔵制御するとともに上部陳列室７内を２０℃に冷蔵制御する場合において、後述するように結露が発生し易い領域である下部陳列室６内の上部前面側コーナー部を加温し、結露の発生を防止する。
【００２７】
図３は、操作レバー３４を操作することにより第１・第２仕切体２４、２５が前方に移動し、第１仕切体２４が開放位置に位置するとともに第２仕切体２５が第１位置に位置する状態を示している。この場合、上下連通口２８と第１仕切体２５の開口３０とが上下方向で対向することにより上下連通口２８が開放され、下部連通口２１と上部連通口２２とは第２仕切体２５の垂直部２５ｂにより閉止され、第２仕切体２５の水平部２５ａがダクト１４外に位置することによりダクト１４が開放されている。
【００２８】
図４は、操作レバー３４を操作することにより第１・第２仕切体２４、２５が後方に移動し、第１仕切体２４が閉止位置に位置するとともに第２仕切体２５が第２位置に位置する状態を示している。この場合、上下連通口２８と第１仕切体２４における開口３０が形成されていない部分が上下方向で対向することにより上下連通口２８が閉止され、下部連通口２１と上部連通口２２とが開放され、ダクト１４内に第２仕切体２５の水平部２５ａが位置することによりダクト１４が水平部２５ａにより閉止されている。また、第２仕切体２５の垂直部２５ｂが近接スイッチ４０に近接し、近接スイッチ４０がオンになり、防露ヒータ３９に対して通電が行われている。
【００２９】
図５は、下部陳列室６内と上部陳列室７内との冷蔵制御を行う部分を示すブロック図である。冷蔵ショーケース１には下部陳列室６内と上部陳列室７内との温度を制御する制御部４１が設けられており、この制御部４１には、第１・第２仕切体２４、２５の位置を検出する位置検出部である近接スイッチ４０と、ヒータ２０と、防露ヒータ３９と、下部送風ファン１８と、上部送風ファン１９と、温度センサ１１、１２とが接続されている。制御部４１内には、下部陳列室６内と上部陳列室７内との冷蔵制御する設定温度を記憶する記憶部４２と、近接スイッチ４０の検出結果に応じて下部陳列室６内と上部陳列室７内との冷蔵制御する設定温度を切替える設定温度切替部４３とが設けられている。設定温度切替部４３は、例えば、近接スイッチ４０がオフになった場合には下部陳列室６内と上部陳列室７内との設定温度を５℃（又は、２０℃）に切替え、近接スイッチ４０がオンになった場合には下部陳列室６内の設定温度を５℃に切替えるとともに上部陳列室７内の設定温度を２０℃に切替える。
【００３０】
このような構成において、この冷蔵ショーケース１では、下部陳列室６内と上部陳列室７内とに同じ商品を陳列する場合、下部陳列室６内と上部陳列室７内とを同じ温度に冷蔵制御することができる。このときの温度は、陳列する商品に応じて変えることができ、例えば、下部陳列室６内と上部陳列室７内とに惣菜などを陳列する場合には、下部陳列室６内と上部陳列室７内とをともに５℃の低い温度に冷蔵制御し、下部陳列室６内と上部陳列室７内とに弁当などを陳列する場合には、下部陳列室６内と上部陳列室７内とをともに２０℃の高い温度に冷蔵制御することができる。
【００３１】
一方、下部陳列室６内と上部陳列室７内とに異なる商品を陳列する場合には、陳列する商品に応じて下部陳列室６内と上部陳列室７内とを異なる温度に冷蔵制御することができる。例えば、下部陳列室６内に惣菜などを陳列し、上部陳列室７内に弁当などを陳列する場合には、下部陳列室６内を５℃の低い温度に冷蔵制御し、上部陳列室７内を２０℃の高い温度に冷蔵制御することができる。
【００３２】
まず、下部陳列室６内と上部陳列室７内とに惣菜などを陳列し、下部陳列室６内と上部陳列室７内とをともに低い温度（５℃）に冷蔵制御する場合について説明する。
【００３３】
この場合には、操作レバー３４を操作し、第１・第２仕切体２４、２５を図１及び図３に示す前方の位置に移動させる。この移動操作により、第１仕切体２４が開放位置に移動し、第１仕切体２４の開口３０と連通口形成体２３の上下連通口２８とが上下方向で対向することにより上下連通口２８が開放され、下部陳列室６と上部陳列室７とが上下連通口２８を介して連通される。さらに、第２仕切体２５が第１位置に移動し、第２仕切体２５の垂直部２５ｂにより下部連通口２１と上部連通口２２とが閉止され、第２仕切体２５の水平部２５ａがダクト１４外の位置に移動することによりダクト１４が開放される。このとき、垂直部２５ｂが近接スイッチ４０から離反することにより近接スイッチ４０がオフになり、第１・第２仕切体２４、２５の位置が近接スイッチ４０により検出され、この検出結果により、制御部４１の設定温度切替部４３では下部陳列室６内と上部陳列室７内とを冷蔵制御する設定温度が５℃に切替えられる。
【００３４】
この状態から冷蔵ショーケース１を運転する始動スイッチ（図示せず）がオンされることにより、冷却器１７と下部送風ファン１８とが駆動される。
【００３５】
下部送風ファン１８が駆動されることにより、下部陳列室６内の空気が下部開口１５からダクト１４内に吸い込まれ、ダクト１４内に吸い込まれた空気は冷却器１７により冷却され、冷却された空気（冷気）がダクト１４内を流れてダクト１４の上部開口１６から上部陳列室７内に吹き出す。上部開口１６から上部陳列室７内に吹き出した冷気は、上部陳列室７内を冷却し、さらに、上下連通口２８を通って下部陳列室６内に流入し、下部陳列室６内を冷却する。
【００３６】
下部陳列室６内に流入して下部陳列室６内を冷却した冷気は、下部送風ファン１８の駆動により再び下部開口１５からダクト１４内に吸い込まれ、冷却器１７により再び冷却される。このようにして、冷気がダクト１４内と上部陳列室７内と下部陳列室６内との間で循環することにより、下部陳列室６内と上部陳列室７内とが同じ温度（５℃）に冷蔵制御される。
【００３７】
下部陳列室６内と上部陳列室７内の温度は温度センサ１１、１２により検出されており、下部陳列室６と上部陳列室７内の温度が冷蔵制御する設定温度（５℃）より低くなった場合には、制御部４１の図示しない制御信号出力部から冷却器１７を含む冷凍装置に対して運転を停止させる信号が出力され、冷却器１７の駆動が停止される。冷却器１７の駆動が停止されることにより下部陳列室６内と上部陳列室７内との温度が次第に上昇し、或る温度に上昇すると冷却器１７の駆動が再開される。
【００３８】
つぎに、下部陳列室６内と上部陳列室７内とに弁当などを陳列し、下部陳列室６内と上部陳列室７内とを高い温度（２０℃）に冷蔵制御する場合について説明する。
【００３９】
この場合、基本的な操作及び動作は下部陳列室６内と上部陳列室７内とをともに５℃に冷蔵制御する場合と同じであり、第１・第２仕切体２４、２５を前方の位置に移動させ、上下連通口２８を開放して下部陳列室６と上部陳列室７とを連通させる。さらに、垂直部２５ｂにより下部連通口２１と上部連通口２２とを閉止し、水平部２５ａをダクト１４外に移動させてダクト１４を開放する。このとき、垂直部２５ｂが近接スイッチ４０から離反することにより近接スイッチ４０がオフになり、第１・第２仕切体２４、２５の位置が近接スイッチ４０により検出され、この検出結果により、制御部４１の設定温度切替部４３では下部陳列室６内と上部陳列室７内とを冷蔵制御する設定温度が２０℃に切替えられる。近接スイッチ４０がオフになった場合に、冷蔵制御する設定温度が５℃になるか２０℃になるかは、制御部４１に設けられている図示しないディップスイッチを切替操作することにより決定される。
【００４０】
また、冷蔵制御する温度が２０℃と高いため、ヒータ２０が駆動され、ダクト１４の上部開口１６から上部陳列室７内に吹き出す冷気が加温される。
【００４１】
このようにして、冷却器１７により冷却されるとともにヒータ２０により加温された冷気がダクト１４内と上部陳列室７内と下部陳列室６内との間で循環することにより、下部陳列室６内と上部陳列室７内とが同じ温度（２０℃）に冷蔵制御される。
【００４２】
下部陳列室６内と上部陳列室７内の温度は温度センサ１１、１２により検出されており、下部陳列室６と上部陳列室７内の温度が制御する設定温度（２０℃）より高くなった場合には、ヒータ２０の駆動が停止される。
【００４３】
つぎに、下部陳列室６内に惣菜などを陳列し、上部陳列室７内に弁当などを陳列し、下部陳列室６内を５℃に冷蔵制御し、上部陳列室７内を２０℃に冷蔵制御する場合について説明する。
【００４４】
この場合には、操作レバー３４を操作し、第１・第２仕切体２４、２５を図４に示す後方の位置に移動させる。この移動操作により、第１仕切体２４が閉止位置に移動し、第１仕切体２４における開口３０が形成されていない部分が上下連通口２８と上下方向で対向し、上下連通口２８が閉止されて下部陳列室６と上部陳列室７との連通状態が遮断される。さらに、第２仕切体２５が第２位置に移動し、下部連通口２１と上部連通口２２とが開放され、第２仕切体２５の水平部２５ａがダクト１４内の位置に移動することによりダクト１４内が下側部分と上側部分とに閉止される。このとき、垂直部２５ｂが近接スイッチ４０に近接することにより近接スイッチ４０がオンになり、制御部４１の設定温度切替部４３では、下部陳列室６内を冷蔵制御する設定温度が５℃に切替えられ、上部陳列室７内を冷蔵制御する設定温度が２０℃に切替えられる。
【００４５】
この状態から冷蔵ショーケース１を運転する始動スイッチがオンされることにより、冷却器１７と下部送風ファン１８と上部送風ファン１９とヒータ２０と防露ヒータ３９とが駆動される。
【００４６】
下部陳列室６側では、下部送風ファン１８が駆動されることにより下部陳列室６内の空気が下部開口１５からダクト１４内に吸い込まれ、ダクト１４内に吸い込まれた空気は冷却器１７により冷却され、冷却された空気（冷気）は水平部２５ａにより閉止されたダクト１４内の下側部分を流れる。ダクト１４内の下側部分を流れた冷気は、下部連通口２１から中間吹き出しダクト３５内に流入し、中間吹き出しダクト３５内を流れて下部陳列室６内の前面側に吹き出す。中間吹き出しダクト３５内を流れて下部陳列室６内の前面側に吹き出した冷気は、下部陳列室６内を冷却し、下部陳列室６内を冷却した冷気は下部送風ファン１８の駆動により再び下部開口１５からダクト１４内に吸い込まれ、冷却器１７により再び冷却される。下部陳列室６内の冷気は、上下連通口２８が閉止されているため、この上下連通口２８を通って上部陳列室７内に流入することはない。このようにして、冷気がダクト１４内の下側部分と中間吹き出しダクト３５内と下部陳列室６内との間で循環することにより、下部陳列室６内が予め設定された設定温度（５℃）に冷蔵制御される。  
【００４７】
下部陳列室６内の温度は温度センサ１１により検出されており、下部陳列室６内の温度が制御する設定温度（５℃）より低くなった場合には、制御部４１の図示しない制御信号出力部から冷却器１７を含む冷凍装置に対して運転を停止させる停止信号が出力され、冷却器１７の駆動が停止される。冷却器１７の駆動が停止されることにより下部陳列室６内の温度が次第に上昇し、或る温度に上昇すると冷却器１７の駆動が再開される。
【００４８】
一方、上部陳列室７側では、上部送風ファン１９が駆動されることにより上部陳列室７内の空気が上部連通口２２からダクト１４内の上側部分に吸い込まれ、ダクト１４内の上側部分に吸い込まれた空気は、上部開口１６から上部陳列室７内に吹き出す。上部陳列室７内に吹き出した空気は、上部送風ファン１９の駆動により再び上部連通口２２からダクト１４内の上側部分に吸い込まれる。このようにして、空気がダクト１４内の上側部分と上部陳列室７との間で循環する。
【００４９】
ここで、上部陳列室７内の空気は、下部陳列室６内やダクト１４内の下側部分からの熱伝導により冷却され、冷却器１７で冷却された冷気が供給されなくても低温になる。このため、上部陳列室７内は循環する空気により冷蔵される。
【００５０】
また、上部陳列室７内では、ヒータ２０が駆動されることにより、ダクト１４内の上側部分と上部陳列室７内との間で循環して上部開口１６から上部陳列室７内に吹き出す空気が加温され、上部陳列室７内は、下部陳列室６側からの熱伝導による冷却とヒータ２０による加温とにより、予め設定された設定温度（２０℃）に冷蔵制御される。
【００５１】
上部陳列室７内の温度は温度センサ１２により検出されており、上部陳列室７内の温度が冷蔵制御する設定温度（２０℃）より高くなった場合には、ヒータ２０の駆動が停止される。
【００５２】
下部陳列室６内を５℃に冷蔵制御するとともに上部陳列室７内を２０℃に冷蔵制御する場合には、中間吹き出しダクト３５内を流れて下部陳列室６内とダクト１４内との間を循環する冷気は、下部陳列室６内の上部正面側コーナー部、具体的には、下部陳列室６内における第１仕切体２４の下側部分の領域に回り込み難く、この領域で結露が発生し易くなる。そこで、下部陳列室６内を５℃に冷蔵制御するとともに上部陳列室７内を２０℃に冷蔵制御する場合には、防露ヒータ３９に通電して下部陳列室６内の上部正面側コーナー部を加温することにより、下部陳列室６内の上部正面側コーナー部における結露の発生を防止することができる。
【００５３】
つぎに、本発明の特徴部分であるパンチング穴４４について、図６に基づいて説明する。
【００５４】
冷蔵ショーケースの基本的な構成は図１ないし図５に示しており、複数のパンチング穴は第２仕切体２５の水平部２５ａに形成されている。水平部２５ａの下面に貼り付けられている断熱材３２には、パンチング穴４４に対向する部分に穴が形成されている。
【００５５】
このような構成において、下部陳列室６内に惣菜などを陳列し、上部陳列室７内に弁当などを陳列し、下部陳列室６内を５℃に冷蔵制御し、上部陳列室７内を２０℃に冷蔵制御する場合について説明する。
【００５６】
この場合には、前述の一実施形態で説明したように、操作レバー３４を操作し、第１・第２仕切体２４、２５を後方の位置に移動させる。この移動操作により、上下連通口２８が閉止され、下部連通口２１と上部連通口２２とが開放され、第２仕切体２５の水平部２５ａによりダクト１４内が下側部分と上側部分とに閉止される。
【００５７】
この状態から冷蔵ショーケース１を運転する始動スイッチがオンされることにより、冷却器１７と下部送風ファン１８と上部送風ファン１９とヒータ２０と防露ヒータ３９とが駆動される。
【００５８】
下部送風ファン１８が駆動されることにより下部陳列室６内の空気が下部開口１５からダクト１４内の下側部分に吸い込まれ、ダクト１４内の下側部分に吸い込まれた空気は冷却器１７により冷却され、冷却された空気（冷気）は下部連通口２１から中間吹き出しダクト３５内に流入し、中間吹き出しダクト３５内を流れて下部陳列室６内に吹き出す。このようにして、冷気が下部陳列室６内とダクト１４内の下側部分と中間吹き出しダクト３５内との間で循環することにより、下部陳列室６内が予め設定された設定温度（５℃）に冷蔵制御される。
【００５９】
一方、上部陳列室７側では、上部送風ファン１９が駆動されることにより上部陳列室７内の空気が上部連通口２２からダクト１４内の上側部分に吸い込まれるとともに、冷却器１７により冷却された冷気の一部が第２仕切体２５の水平部２５ａに形成されたパンチング穴４４を通してダクト１４の上側部分に吸い込まれる。したがって、上部陳列室７内の空気は、下部陳列室６側からの熱伝導とパンチング穴４４を通過する冷気とにより冷却されるため、上部陳列室７内の温度を速やかに下げることができる。このため、上部陳列室７の扉５が開閉されて上部陳列室７内の温度が上昇した場合には、上部陳列室７内の温度を設定された設定温度（２０℃）に速やかに戻すことができる。
【００６０】
なお、本発明は、前述の実施形態に限るものではなく、その要旨を逸脱しない範囲において種々変更可能である。例えば、前述の実施形態に示される全構成要素から幾つかの構成要素を削除してもよく、さらに、異なる実施形態に亘る構成要素を適宜組み合わせてもよい。
【符号の説明】
【００６１】
１      冷蔵ショーケース
２      ショーケース本体
３      機械室
４      開口部
５      扉
６      下部陳列室
７      上部陳列室
８      区画体
９      陳列棚
１０      敷板
１１      温度センサ
１２      温度センサ
１３      背面板
１４      ダクト
１５      下部開口
１６      上部開口
１７      冷却器
１８      下部送風ファン
１９      上部送風ファン
２０      ヒータ
２１      下部連通口
２２      上部連通口
２３      連通口形成体
２４      第１仕切体
２５      第２仕切体
２５ａ    水平部
２５ｂ    垂直部
２６      中間吹き出しダクト形成板
２７      中間吹き出しダクト形成板
２８      上下連通口
２９      断熱材
３０      開口
３１      断熱材
３２      断熱材
３３      連結部材
３４      操作レバー
３５      中間吹き出しダクト
３６      断熱材
３７      スリット
３８      スリット
３９      防露ヒータ
４０      近接スイッチ（スイッチ、位置検出部）
４１      制御部
４２      記憶部
４３      設定温度切替部
４４      パンチング穴
【図１】
0006309133.tif 000002
【図２】
0006309133.tif 000003
【図３】
0006309133.tif 000004
【図４】
0006309133.tif 000005
【図５】
0006309133.tif 000006
【図６】
0006309133.tif 000007